(57)【要約】【課題】簡単な収納作業で、洋菓子がケーキ箱内で移動又は転倒するのを防止するケーキ箱を提供する。【解決手段】ケーキ箱２０には洋菓子用シート１０が底板２１上に敷かれている。洋菓子用シート１０は、弾性高分子材料製のシートであって、所定面積の穴１１が所定ピッチで複数形成されたシートである。ケーキ箱２０を持ち運びする際、洋菓子用シート１０の材質がエラストマーであるため、洋菓子用シート１０が底板２１に対して滑るのを防止できる。また、洋菓子用シート１０の上に載置されるショートケーキC１、C２の底面に被せた被覆材S１、S２が、重力により洋菓子用シート１０の網目に喰い込むため、ショートケーキC１、C２が洋菓子用シート１０上で移動又は転倒するのも防止できる。よって、持ち運びの際にショートケーキC１、C２がケーキ箱２０内で移動又は転倒するのを防止できる。【選択図】  図４
2010095299.tif 000002
【特許請求の範囲】
【請求項１】
洋菓子を収納して持ち運ぶケーキ箱において、
前記洋菓子が載置される上面と、ケーキ箱の底板に接する下面と、からなる弾性高分子材料製の洋菓子用シートであって、所定面積の穴が所定ピッチで複数形成された網目状の洋菓子用シートを、前記底板上に敷いたことを特徴とするケーキ箱。
【請求項２】
前記洋菓子用シートは、天然ゴムで成形されたことを特徴とする請求項１に記載のケーキ箱。
【請求項３】
前記所定面積は、０．０２ｃｍ２から２．０ｃｍ２までの範囲とし、
前記所定ピッチは、０．０５ｃｍから１．０ｃｍまでの範囲とすることを特徴とする請求項１又は２に記載のケーキ箱。
【請求項４】
前記洋菓子用シートは、前記底板と同じ形、且つ同じ大きさに成形されたことを特徴とする請求項１から３のいずれかに記載のケーキ箱。
【請求項５】
前記洋菓子用シートは、前記上面と前記下面の少なくともいずれか一方に、複数の突起を形成したことを特徴とする請求項１から４のいずれかに記載のケーキ箱。
【請求項６】
前記洋菓子用シートを前記底板上に取り付けたことを特徴とする請求項１から５のいずれかに記載のケーキ箱。
【発明の詳細な説明】
【技術分野】
【０００１】
本発明は、洋菓子を収納して持ち運ぶケーキ箱に関するものである。
【背景技術】
【０００２】
従来から、スイーツとして食されるショートケーキやプリンなどの洋菓子は、ケーキ箱に収納されて持ち運びされる。この持ち運びの際、水平を保った状態で持ち運びされないと、洋菓子がケーキ箱内で移動してケーキ箱の側板や他の洋菓子に衝突したり転倒したりしてしまうことがある。
【０００３】
そこで、洋菓子がケーキ箱内で移動しないよう、厚紙等の詰め物を洋菓子とともに収納する収納作業が販売員によって従来から行われている。
なお、特許文献１では、ケーキ箱の底板に形成するケーキ止め具が提案されている。特許文献１では、このケーキ止め具によりケーキの底部に突き刺して、ケーキを固定する。
【特許文献１】特開２００６−１６０２８１号公報
【発明の開示】
【発明が解決しようとする課題】
【０００４】
しかしながら、上記従来の収納作業では、販売員が、洋菓子の形や大きさを考慮しながら洋菓子と詰め物を収納しなければならなかった。そのため、収納作業が複雑であり、販売員の技量によっては上手に収納できず、作業時間が長くなったりしてしまうことがあった。よって、その作業時間の間、洋菓子の購入客を待たせてしまうことがあった。
【０００５】
また、詰め物は、主に、各洋菓子の間またはケーキ箱の側板と洋菓子との間に収納されるので、洋菓子の生クリームなどが側板や詰め物に付着してしまうことがあった。そのため、生クリームなどの移動により洋菓子の飾りの取付位置がずれてしまうことがあった。
さらに、購入客が洋菓子をケーキ箱から取り出す際に洋菓子が詰め物に接触したり、詰め物の方を先にケーキ箱から取り出しても詰め物が洋菓子に接触したりすることがあった。これにより、洋菓子の飾りを破損してしまうこともあった。
【０００６】
本発明はこのような従来の課題を解決しようとするものであり、簡単な収納作業で、洋菓子がケーキ箱内で移動又は転倒するのを防止するケーキ箱を提供することを目的とする。
【課題を解決するための手段】
【０００７】
本発明のケーキ箱は、前記課題を解決するために以下の構成を備えている。
【０００８】
（１）洋菓子を収納して持ち運ぶケーキ箱において、
前記洋菓子が載置される上面と、ケーキ箱の底板に接する下面と、からなる弾性高分子材料製の洋菓子用シートであって、所定面積の穴が所定ピッチで複数形成された網目状の洋菓子用シートを、前記底板上に敷いたことを特徴とする。
【０００９】
この構成において、弾性高分子材料は、エラストマーと呼ばれる材料であり、常温で弾性を示すプラスチックとゴムを含む材料である。洋菓子は、例えばケーキ、プリン、又はシュークリーム等である。
まず、購入客が洋菓子を購入すると、洋菓子の販売員は洋菓子用シートの上に洋菓子を載置する。そして、販売員は、ケーキ箱を閉じて洋菓子を収納する。購入客はこの状態のケーキ箱を持ち運ぶ。
この持ち運びの際、洋菓子用シートの材質がエラストマー製であるため、洋菓子用シートが底板に対して滑るのを防止できる。また、洋菓子の底面を被覆する被覆材が洋菓子用シートに対して滑るのも防止できる。さらに、洋菓子の底面の被覆材が、重力により洋菓子用シートの網目に喰い込む。そのため、持ち運びの際にケーキ箱が所定の角度傾いたとしても、洋菓子が洋菓子用シート上で移動又は転倒するのを防止できる。よって、持ち運びの際に洋菓子がケーキ箱内で移動又は転倒するのを防止できる。
【００１０】
また、販売員は洋菓子を洋菓子用シートの上に載置してケーキ箱を閉じるだけで済むので、洋菓子を収納するための収納作業が簡単である。よって、厚紙等の詰め物を収納する従来の収納作業と比べて、販売員の作業負担を大幅に軽減できる。そのため、長時間、洋菓子の購入客を待たせてしまうことも無い。
【００１１】
以上より、簡単な収納作業で、洋菓子がケーキ箱内で移動又は転倒するのを防止することができる。また、洋菓子用シートを、コップを置くコースターとして利用したり、洋菓子用シートを購入客に返却して貰って再利用したりすることもできる。これにより、環境保護にも貢献できる。
【００１２】
（２）前記洋菓子用シートは、天然ゴムで成形されたことを特徴とする。
【００１３】
洋菓子用シートには食用の洋菓子を載置するため、この構成では環境および人体に優しい素材である天然ゴムを使用している。
【００１４】
（３）前記所定面積は、０．０２ｃｍ２から２．０ｃｍ２までの範囲とし、
前記所定ピッチは、０．０５ｃｍから１．０ｃｍまでの範囲とすることを特徴とする。
【００１５】
この構成では、洋菓子の底面の被覆材が洋菓子用シートの複数の穴に適度に喰い込んで、洋菓子が洋菓子用シート上で移動又は転倒するのを効果的に防止できる。
【００１６】
（４）前記洋菓子用シートは、前記底板と同じ形、且つ同じ大きさに成形されたことを特徴とする。
【００１７】
この構成では、持ち運び時において洋菓子用シートの先端の四辺がケーキ箱の側板と当接した状態となる。これにより、洋菓子用シートの下面が、底板に対して滑ってしまうのを一層防ぐことができる。よって、洋菓子がケーキ箱内で移動又は転倒するのを一層防止することができる。
【００１８】
（５）前記洋菓子用シートは、前記上面と前記下面の少なくともいずれか一方に、複数の突起を形成したことを特徴とする。
【００１９】
この構成において、複数の突起を上面に形成した場合、持ち運びの際、上記網目による食い込みの他、複数の突起が、洋菓子用シートの上に載置される洋菓子の底面の被覆材に重力により喰い込む。そのため、洋菓子が洋菓子用シート上で移動又は転倒するのを一層防止できる。また、複数の突起のそれぞれは、半球状であるため、洋菓子の形を崩すことも無い。
また、複数の突起を下面に形成した場合、持ち運びの際、洋菓子用シートが複数の突起によって底板に対して滑るのを一層防止できる。
従って、持ち運びの際に洋菓子がケーキ箱内で移動又は転倒するのを一層防止できる。
【００２０】
（６）前記洋菓子用シートを前記底板上に取り付けたことを特徴とする。
【００２１】
この構成により、底板上には洋菓子用シートが最初から敷かれた状態となるので、販売員が洋菓子用シートを底板上に敷く手間を省くことができる。
【発明の効果】
【００２２】
この発明によれば、簡単な収納作業で、洋菓子がケーキ箱内で移動又は転倒するのを防止することができる。
【発明を実施するための最良の形態】
【００２３】
以下、本発明の実施形態であるケーキ箱について説明する。
【００２４】
図１は、本発明の実施形態である、洋菓子用シートを敷く前のケーキ箱の外観斜視図である。ケーキ箱２０は、底板２１と、底板２１の三辺から立ち上がって３面を囲んだ形状の箱体を形成する側板２２〜２４と、上板２６が延設された側板２５と、を備える。ケーキ箱２０は、厚紙製の箱であり、ショートケーキC１、C２を収納するために正面及び上面が開放されている。また、ショートケーキC１、C２の底面には、アルミフィルム、紙製のフィルム、紙製のカップ、又は紙製のトレー等の被覆材S１、S２が予め被せられている。
【００２５】
側板２５は、底板２１の最後の一辺から立ち上がって４面を囲んだ形状の箱体を形成し、ケーキ箱２０の正面を閉じる板である。そして、上板２６は、４つの側板２２〜２５で形成される上面（即ち開口面）に蓋をし、ケーキ箱２０の上面を閉じる板である。
【００２６】
図２は、本発明の実施形態であるケーキ箱の底板に載置する洋菓子用シートの正面図である。洋菓子用シート１０は、ショートケーキC１、C２が載置される上面と、底板２１に接する下面と、からなるシートである。洋菓子用シート１０は、エラストマー（弾性高分子材料）で成形され、アクリル100％で表面加工されている。また、洋菓子用シート１０には、所定面積の穴１１が、所定ピッチで複数形成されている。所定ピッチは、任意の穴１１とその隣の穴１１との間に成形されているエラストマーの幅（ｃｍ）である。所定面積および所定ピッチは、後述の図５に示すようにショートケーキC１、C２の底面に被せる被覆材S１、S２が洋菓子用シート１０の複数の穴１１に喰い込んで、ショートケーキC１、C２が洋菓子用シート１０上で移動又は転倒するのを効果的に防止できる面積とピッチに定める。実験により、所定面積は、０．０２ｃｍ２から２．０ｃｍ２までの範囲が好ましく、所定ピッチは、０．０５ｃｍから１．０ｃｍまでの範囲が好ましいことが明らかとなっている。この実施形態では、所定面積は０．６ｃｍ２に、所定ピッチは、０．１ｃｍに定めている。また、この実施形態における被覆材S１、S２のそれぞれは、アルミフィルムを使用しているが、実施の際は、紙製のフィルム、紙製のカップ、又は紙製のトレー等を被覆材として使用しても構わない。
【００２７】
なお、洋菓子用シート１０は、食用のショートケーキC１、C２を載置するため、その材質は環境および人体に優しい素材である天然ゴムを使用するのが好ましい。
【００２８】
図３は、洋菓子用シートを敷いた同ケーキ箱の外観斜視図であり、図４は、洋菓子用シートにショートケーキを載置して正面と上面を閉じた同ケーキ箱の外観透視図である。また、図５は、洋菓子用シートにショートケーキを載置した時の洋菓子用シート及びショートケーキの側面断面図であり、図６は、斜めに傾いた時の同ケーキ箱の外観透視図である。
【００２９】
ケーキ箱２０は、図３に示すように、洋菓子用シート１０を底板２１上に予め敷いたものを用意しておく。そして、購入客がショートケーキC１、C２を購入すると、ショートケーキC１、C２の販売員は、洋菓子用シート１０の上にショートケーキC１、C２を載置する。
【００３０】
そして、販売員は、側板２５を立ち上げ、上板２６の係止部２６Aに形成された係止孔２６Bに、側板２３に形成された凸部２３Aを差し込むことにより、ケーキ箱２０の正面と上面を閉じる。これにより、ショートケーキC１、C２が収納され、ケーキ箱２０は図４の状態となる。購入客はこの状態のケーキ箱２０を持ち運ぶ。
【００３１】
この持ち運びの際、洋菓子用シート１０の材質がエラストマー製であるため、洋菓子用シート１０が底板２１に対して滑るのを防止できる。また、ショートケーキC１、C２の底面に被せた被覆材S１、S２が洋菓子用シート１０に対して滑るのも防止できる。さらに、ショートケーキC１、C２の底面の被覆材S１、S２が、重力により洋菓子用シート１０の網目に喰い込む（図５参照）。そのため、持ち運びの際にケーキ箱２０が図６に示すように所定の角度傾いたとしても、ショートケーキC１、C２が洋菓子用シート１０上で移動又は転倒するのを防止できる。よって、持ち運びの際にショートケーキC１、C２がケーキ箱２０内で移動又は転倒するのを防止できる。
【００３２】
また、販売員はショートケーキC１、C２を洋菓子用シート１０の上に載置してケーキ箱２０を閉じるだけで済むので、ショートケーキC１、C２を収納するための収納作業が簡単である。よって、厚紙等の詰め物を収納する従来の収納作業と比べて、販売員の作業負担を大幅に軽減できる。そのため、長時間、ショートケーキC１、C２の購入客を待たせてしまうことも無い。
【００３３】
以上より、簡単な収納作業で、ショートケーキC１、C２がケーキ箱２０内で移動又は転倒するのを防止することができる。また、洋菓子用シート１０を、コップを置くコースターとして利用したり、洋菓子用シート１０を購入客に返却して貰って再利用したりすることもできる。これにより、環境保護にも貢献できる。
【００３４】
また、洋菓子用シート１０を底板２１と同じ形、且つ同じ大きさに成形することで、持ち運び時において洋菓子用シート１０の先端の四辺が側板２２〜２５と当接した状態となる。これにより、洋菓子用シート１０の下面が、底板２１に対して滑ってしまうのを一層防ぐことができる。よって、ショートケーキC１、C２がケーキ箱２０内で移動又は転倒するのを一層防止することができる。
【００３５】
なお、ケーキ箱２０の形状は、図１、図３、及び図４に示した通りであるが、実施の際は、図１、図３、及び図４に示した形状以外の形状を採用しても構わない。例えば、上面のみが開放する形状や正面を含む４側面全てが開放する形状を採用しても構わない。
【００３６】
また、本発明の実施形態は、以下の変形例を採用することができる。
【００３７】
（第１変形例）
図７は、本発明の実施形態の第１変形例であるケーキ箱に載置する洋菓子用シートの正面図であり、図８は、同洋菓子用シートの側面図であり、図９は、同洋菓子用シートにショートケーキを載置した時の洋菓子用シート及びショートケーキの側面断面図である。図８、図９に示すように、洋菓子用シート１０の上面と下面の少なくともいずれか一方に、複数の突起１２を形成しても構わない。
【００３８】
複数の突起１２を上面に形成した場合、持ち運びの際、上記網目による食い込みの他、複数の突起１２が、洋菓子用シート１０の上に載置されるショートケーキC１、C２の底面の被覆材S１、S２に重力により喰い込む（図９参照）。そのため、ショートケーキC１、C２が洋菓子用シート１０上で移動又は転倒するのを一層防止できる。具体的には、ケーキ箱２０を最大で約４０°傾けてもショートケーキC１、C２が洋菓子用シート１０上で移動又は転倒しないことが実験により明らかとなっている。また、複数の突起１２のそれぞれは、半球状であるため、ショートケーキC１、C２の形を崩すことも無い。
また、複数の突起１２を下面に形成した場合、持ち運びの際、洋菓子用シート１０が複数の突起１２によって底板２１に対して滑るのを一層防止できる。
従って、持ち運びの際にショートケーキC１、C２がケーキ箱２０内で移動又は転倒するのを一層防止できる。
【００３９】
（第２変形例）
図１０は、本発明の実施形態の第２変形例であるケーキ箱に載置する洋菓子用シートの正面図である。洋菓子用シート１１０は、図８、図９に示す洋菓子用シート１０と同様に、ショートケーキC１、C２が載置される上面と、底板２１に接する下面と、からなる。洋菓子用シート１１０の表面には、複数の突起１１２が形成されている。また、洋菓子用シート１１０には、所定面積の穴１１１が、所定ピッチで複数形成されている。この変形例では、所定面積は０．０４ｃｍ２に、所定ピッチは、０．３ｃｍに定めている。また、洋菓子用シート１１０は、糸芯がポリエステルであり、アクリル及びノンフタル酸PVC（PER）で成形されている。PERは、ダイオキシンの発生を抑えたPVC（ポリ塩化ビニル）であり、環境や人体に優しい素材である。
【００４０】
以上の洋菓子用シート１１０を敷いたケーキ箱２０を採用しても、図８、図９に示す洋菓子用シート１０を敷いたケーキ箱２０と同じ効果が得られることが実験により明らかとなっている。即ち、ケーキ箱２０を最大で約４０°傾けてもショートケーキC１、C２が洋菓子用シート１１０上で移動又は転倒しないことが実験により明らかとなっている。また、複数の突起１１２のそれぞれが、半球状であるため、ショートケーキC１、C２の形を崩すことも無い。
【００４１】
（第３変形例）
上記洋菓子用シート１０又は上記洋菓子用シート１１０を底板２１上に接着剤等で予め取り付けたケーキ箱２０を採用しても構わない（図３参照）。これにより、底板２１上には洋菓子用シート１０又は洋菓子用シート１１０が最初から敷かれた状態となるので、販売員が洋菓子用シート１０又は洋菓子用シート１１０を底板２１上に敷く手間を省くことができる。
【図面の簡単な説明】
【００４２】
【図１】本発明の実施形態である、洋菓子用シートを敷く前のケーキ箱の外観斜視図
【図２】本発明の実施形態であるケーキ箱の底板に載置する洋菓子用シートの正面図
【図３】洋菓子用シートを敷いた同ケーキ箱の外観斜視図
【図４】洋菓子用シートにショートケーキを載置して正面と上面を閉じた同ケーキ箱の外観透視図
【図５】洋菓子用シートにショートケーキを載置した時の洋菓子用シート及びショートケーキの側面断面図
【図６】斜めに傾いた時の同ケーキ箱の外観透視図
【図７】本発明の実施形態の第１変形例であるケーキ箱に載置する洋菓子用シートの正面図
【図８】本発明の実施形態の第１変形例であるケーキ箱に載置する洋菓子用シートの側面図
【図９】第１変形例の洋菓子用シートにショートケーキを載置した時の洋菓子用シート及びショートケーキの側面断面図
【図１０】本発明の実施形態の第２変形例であるケーキ箱に載置する洋菓子用シートの正面図
【符号の説明】
【００４３】
１０…洋菓子用シート
１１…穴
１２…突起
２０…ケーキ箱
２１…底板
２２…側板
２３…側板
２３A…凸部
２４…側板
２５…側板
２６…上板
２６A…係止部
２６B…係止孔
１１０…洋菓子用シート
１１１…穴
１１２…突起
【図１】
2010095299.tif 000003
【図２】
2010095299.tif 000004
【図３】
2010095299.tif 000005
【図４】
2010095299.tif 000006
【図５】
2010095299.tif 000007
【図６】
2010095299.tif 000008
【図７】
2010095299.tif 000009
【図８】
2010095299.tif 000010
【図９】
2010095299.tif 000011
【図１０】
2010095299.tif 000012